(57)【特許請求の範囲】
【請求項１】
露光用開口を形成した一対の基板と、基部と遮光部と先端部とからなっていて該基部で前記基板に回転可能に支持され該遮光部で前記露光用開口を開閉する複数枚のセクタ羽根と、前記セクタ羽根を開閉駆動する駆動手段と、を備えていて、前記各基板上の複数箇所には、前記セクタ羽根の前記三つの部位に個々に摺接するように形成された摺動案内部が設けられているカメラ用シャッタ装置において、
前記摺動案内部の中には、少なくとも摺接面の一部が前記各基板上で同じ高さとなっていて前記三つの部位に個々に摺接し得るように形成されている高位面を有したものが複数あり、前記セクタ羽根は、閉鎖運動の終了直前から開放運動の開始直後までは、前記三つの部位が前記高位面のいずれかに接触しており、その他の開閉運動中には前記基部と前記遮光部だけが前記高位面のいずれかに常に接触しているようにしたことを特徴とするカメラ用シャッタ装置。
【発明の詳細な説明】
【０００１】
【産業用の利用分野】
本発明はカメラ用シャッタ装置に関し、特に、シャッタ地板と羽根押え板との間に位置させた２枚のセクタ羽根により露光用開口を開閉する形式のカメラ用シャッタ装置に関する。
【０００２】
【従来の技術】
例えば、実開平３−２２２２７号公報に示されているように、開閉トルクを極力軽減するようにした従来のカメラ用シャッタ装置の中には、２枚のセクタ羽根を用いていて図６から図１０に示すような構造をしたものがある。
即ち、中心部に露光用開口１Ａを形成しているシャッタ地板２Ａと羽根押え板３Ａとの間には、露光用開口１Ａを開閉する２枚のセクタ羽根４Ａ，５Ａを組み込める空間が形成され、この空間内には、基部４ａ，５ａを支持軸６Ａ，７Ａで枢支された２枚のセクタ羽根４Ａ，５Ａが配置され、これらのセクタ羽根４Ａ，５Ａは図示を省略する直流モータ等のアクチュエータによって開閉運動させられる。
【０００３】
そして、セクタ羽根４Ａとセクタ羽根５Ａの間、並びにセクタ羽根４Ａ，５Ａとシャッタ地板２Ａ（羽根押え板３Ａ）との間を全面的に接触させないようにして開閉時の摩擦抵抗を軽減するため、シャッタ地板２Ａ及び羽根押え板３Ａの表面には、セクタ羽根４Ａ，５Ａの基部４ａ，５ａ、遮光部４ｂ，５ｂ、外周先端部４ｃ，５ｃに各々接触できる支点部レール２ａ，３ａ、遮光部レール２ｂ，３ｂ、先端部レール２ｃ，３ｃが突起して形成されている。また、これらの支点部レール２ａ，３ａ、遮光部レール２ｂ，３ｂと対向している羽根押え板３Ａ及びシャッタ地板２Ａの表面には、セクタ羽根４Ａ，５Ａの基部４ａ，５ａ及び遮光部４ｂ，５ｂに接触できる円弧状の支点部スラストレール２ｄ，３ｄ及び遮光部スラストレール２ｅ，３ｅが突起して形成され、これらの基部４ａ，５ａと支点部スラストレール２ｄ，３ｄとの挟持、並びに、遮光部４ｂ，５ｂと遮光部スラストレール２ｅ，３ｅとの挟持により各セクタ羽根４Ａ，５Ａの開閉移動平面が特定され、セクタ羽根４Ａ，５Ａの相互の全面的な接触を回避させている。
【０００４】
したがって、このような構造のカメラ用シャッタ装置にあっては、駆動ピン８Ａの一往復動により、セクタ羽根４Ａ，５Ａが図６の全閉位置から図９の全開位置まで移動させられて露光用開口１Ａが開放され、図９の開放位置から図６の全閉位置に復帰させられて露光用開口１Ａが閉鎖されることになるが、この開閉運動に際しては、各セクタ羽根４Ａ，５Ａが、支点部レール２ａ，３ａ、遮光部レール２ｂ，３ｂ、先端部レール２ｃ，３ｃ、支点部スラストレール２ｄ，３ｄ、遮光部スラストレール２ｅ，３ｅに部分的に接触しているだけであるため、その開閉運動は軽快に行われる。
【０００５】
【発明が解決しようとする課題】
しかしながら、本発明者等によるこのような構造のカメラ用シャッタ装置の試作研究結果によると、この構造では、シャッタ速度が不安定になったり、駆動ピン８Ａを駆動する直流モータのトルクを思った程は低減できないことが分かった。
その理由は、前述したように、セクタ羽根４Ａ，５Ａが、支点部レール２ａ，３ａ、遮光部レール２ｂ，３ｂ、先端部レール２ｃ，３ｃに案内されて開閉運動を行うとき、支点部スラストレール２ｄ，３ｄ、遮光部スラストレール２ｅ，３ｅの存在によって、セクタ羽根４Ａ，５Ａの基部４ａ，５ａ及び遮光部４ｂ，５ｂの光軸方向の位置が特定されるが、セクタ羽根４Ａ，５Ａの外周先端部４ｃ，５ｃは自由な状態になっていることによる。つまり、各セクタ羽根４Ａ，５Ａは支点部スラストレール２ｄ，３ｄ及び遮光部スラストレール２ｅ，３ｅの存在によって所謂“２点”支持の状態にあるが、セクタ羽根４Ａ，５Ａの急速な開閉運動中、支点部レール２ａ，３ａや支点部スラストレール２ｄ，３ｄとの間に存在する隙間や、遮光部レール２ｂ，３ｂや遮光部スラストレール２ｅ，３ｅとの間に存在する隙間により、セクタ羽根４Ａ，５Ａの外周先端部４ｃ，５ｃが規定の軌道平面から外れ、先端部レール２ｃ，３ｃの表面に強く接触させられる。特に、図６に示すセクタ羽根４Ａ，５Ａの全閉位置即ち初期位置でセクタ羽根４Ａ，５Ａの外周先端部４ｃ，５ｃが規定する軌道平面から外れると、その外周先端部４ｃ，５ｃの開放運動開始時や開閉運動中の挙動が不安定になり、一般的には起動トルクの小さな直流モータの負荷が増大する。
この問題を解決するためには、支点部スラストレール２ｄ，３ｄや遮光部スラストレール２ｅ，３ｅと同様の先端部スラストレールを先端部レール２ｃ，３ｃの対向位置にも設けてセクタ羽根４Ａ，５Ａの外周先端部４ｃ，５ｃの挙動を安定させることも考えられるが、外周先端部４ｃ，５ｃは支持軸６Ａ，７Ａから離れた位置にあるため、円弧状の長い先端部スラストレールを付設することになり、それによって、セクタ羽根４Ａ，５Ａに対する摩擦抵抗が大きくなり、却ってアクチュエータの負荷が増大するという問題が引き起こされる。
【０００６】
本発明の目的は、以上に述べたような従来のカメラ用シャッタ装置の問題に鑑み、開閉運動中の挙動の不安定なセクタ羽根の外周先端部の軌道を安定でき、駆動ピンを駆動するアクチュエータへの負荷を軽減できるカメラ用シャッタ装置の構造を得るにある。
【０００７】
【課題を解決するための手段】
この問題を解決するため、本発明は、露光用開口を形成した一対の基板と、基部と遮光部と先端部とからなっていて該基部で前記基板に回転可能に支持され該遮光部で前記露光用開口を開閉する複数枚のセクタ羽根と、前記セクタ羽根を開閉駆動する駆動手段と、を備えていて、前記各基板上の複数箇所には、前記セクタ羽根の前記三つの部位に個々に摺接するように形成された摺動案内部が設けられているカメラ用シャッタ装置において、前記摺動案内部の中には、少なくとも摺接面の一部が前記各基板上で同じ高さとなっていて前記三つの部位に個々に摺接し得るように形成されている高位面を有したものが複数あり、前記セクタ羽根は、閉鎖運動の終了直前から開放運動の開始直後までは、前記三つの部位が前記高位面のいずれかに接触しており、その他の開閉運動中には前記基部と前記遮光部だけが前記高位面のいずれかに常に接触しているようにしたカメラ用シャッタ装置を提供するものである。
【０００８】
【実施例】
以下、図１から図５を参照しながら本発明の実施例について説明する。
図１は本発明の実施例を示した一部を切欠いたカメラ用シャッタ装置の正面図である。
図２は図１のＡ−Ａ線に略沿うようにして、説明のために模式化した一部断面図である。
図３は図１のＢ−Ｂ線に略沿うようにして、説明のために模式化した一部断面拡大図である。
図４は本発明にかかるカメラ用シャッタ装置のシャッタ地板の正面図である。
図５は本発明にかかるカメラ用シャッタ装置の羽根押え板の正面図である。
【０００９】
１は露光用開口（アパーチャ）で、撮影時にあって光路となる。
２はシャッタ地板で、略中心部には露光用開口１が設けられていて、支点部レール２ａ、遮光部レール２ｂ、先端部レール２ｃ、円弧状の支点部スラストレール２ｄ及び遮光部スラストレール２ｅが突起されている。
３は羽根押え板で、シャッタ地板２と同様に略中心部には露光用開口１が設けられていて、支点部レール３ａ、遮光部レール３ｂ、先端部レール３ｃ、円弧状の支点部スラストレール３ｄ及び遮光部スラストレール３ｅが突起され、前記シャッタ地板２との間には複数枚のセクタ羽根４，５の走行のための領域としての空間が形成される。
４，５はセクタ羽根で、本実施例では２枚の羽根からなり、基部４ａ，５ａ並びに遮光部４ｂ，５ｂ及び外周には先端部４ｃ，５ｃを有していて、露光用開口１上を移動してこれの開放及び閉鎖を行う。また、これらセクタ羽根４，５は前記した支点部レール２ａ，３ａ、遮光部レール２ｂ，３ｂと対向する羽根押え板３及びシャッタ地板２の表面の対応するセクタ羽根４，５の基部４ａ，５ａ及び遮光部４ｂ，５ｂの表面と部分的に摺接可能な円弧状の支点部スラストレール２ｄ，３ｄ及び遮光部スラストレール２ｅ，３ｅによりこれら基部４ａ，５ａと支点部スラストレール２ｄ，３ｄとの間の過不足ない狭い空間、並びに、遮光部４ｂ，５ｂと遮光部スラストレール２ｅ，３ｅとの挟持により各セクタ羽根４，５の開閉移動平面が特定され、セクタ羽根４，５の相互間の衝突が回避され、安定的に走行ができることは従来と同様である。
６，７は支持軸で、シャッタ地板２に立設されていて、前記セクタ羽根４，５を回動自在に軸支する。
８は駆動ピンで、図示しない駆動アクチュエータ、例えばアイリスモータ、電磁石等の電磁手段の駆動部材と連結されている。
【００１０】
９はスラスト突起で、シャッタ地板２及び羽根押え板３に設けられた各先端部レール２ｃ，３ｃの初期位置側端部（領域）に一体的に形成されていて、対応する各支点部スラストレール２ｄ，３ｄ及び遮光部スラストレール２ｅ，３ｅと同じ高さに設定され、これらのスラスト突起９の表面には各セクタ羽根４，５の外周先端部４ｃ，５ｃが摺接される。
１０はテーパ部で、各スラスト突起９と先端部レール２ｃ，３ｃとを連続して結ぶようにして形成された斜面部で、セクタ羽根４，５が図４に示している開放位置から図１の閉鎖位置に向かって復帰移動する際に、復帰終了域においてセクタ羽根４，５の外周先端部４ｃ，５ｃが対応するスラスト突起９上に円滑に案内される。
１１はストッパで、セクタ羽根４，５の初期（復帰）位置を定めていて、セクタ羽根４，５の外周先端部４ｃ，５ｃの先端が当接する位置で羽根は停止される。また、一方端側にこのストッパに対応する嵌合可能な孔を設けておくことにより、シャッタ地板２と羽根押え板３との間の位置合わせをさせることが出来るので、組み立て作業が容易となる。
【００１１】
図示実施例によるカメラ用シャッタ装置は、以上のような構造であるから、セクタ羽根４，５の全閉状態におけるセクタ羽根４，５の外周先端部４ｃ，５ｃは先端部レール２ｃ，３ｃの初期側端部に位置するスラスト突起９に乗り上げた状態にあり、同外周先端部４ｃ，５ｃはセクタ羽根４，５の他の部分即ち基部４ａ，５ａ及び遮光部４ｂ，５ｂと同様に、露光用開口１の光軸方向の同一平面内に維持されて所謂“３点支持”の極めて安定した状態にある。
したがって、セクタ羽根４，５の移動開始初期には、各セクタ羽根４，５の全ての部分が規定された平面内に位置されて、外周先端部４ｃ，５ｃには安定した摩擦抵抗が加わるため、シャッタ速度に“ムラ”が生じることがなくなり、アクチュエータに対する負荷を軽減できる。
【００１２】
また、セクタ羽根４，５の開閉運動中は、スラスト突起９がセクタ羽根４，５の外周先端部４ｃ，５ｃから外れて同外周先端部４ｃ，５ｃが自由な状態になるため、セクタ羽根４，５の外周先端部４ｃ，５ｃに大きな摩擦抵抗が加わるのを防止できるから、開閉運動中のアクチュエータへの負荷が増大することも阻止できる。
なお、セクタ羽根４，５が図１の初期位置へ復帰する場合、セクタ羽根４，５の外周先端部４ｃ，５ｃがテーパ部１０に接触するため、同外周先端部４ｃ，５ｃはテーパ部１０に沿って移動され、確実にスラスト突起９に乗り上げた状態で停止することになる。
なお、本実施例においてはセクタ羽根を２枚として説明をしているが、セクタ羽根が３枚あるいは４枚であっても適用が可能である。
【００１３】
【発明の効果】
以上の説明から明らかなように、本発明によれば、初期位置にあるセクタ羽根の外周先端部にスラスト突起が接触するので、セクタ羽根の全ての部分が規定された平面内に位置されるため、シャッタ“ムラ”が生じず、アクチュエータに対する負荷が安定し、結果としてアクチュエータの負荷が軽減する。また、セクタ羽根の初期状態の安定化と共に、開閉運動中においては、セクタ羽根の外周先端部が自由な状態におかれるので、開閉運動中の負荷も安定かつ軽減される効果がある。
【図面の簡単な説明】
【図１】一部を切欠いて示す本発明によるカメラ用シャッタ装置の正面図である。
【図２】図１のＡ−Ａ線に略沿う、説明のために模式化した一部拡大断面図である。
【図３】図１のＢ−Ｂ線に略沿う、説明のために模式化した一部拡大断面図である。
【図４】同カメラ用シャッタ装置に用いるシャッタ地板の正面図である。
【図５】同カメラ用シャッタ装置に用いる羽根押え板の正面図である。
【図６】一部を切欠いて示す従来のカメラ用シャッタ装置の正面図である。
【図７】図６のＡ−Ａ線に略沿う、説明のために模式化した一部拡大断面図である。
【図８】図６のＢ−Ｂ線に略沿う、説明のために模式化した一部拡大断面図である。
【図９】同カメラ用シャッタ装置に用いるシャッタ地板の正面図である。
【図１０】同カメラ用シャッタ装置に用いる羽根押え板の正面図である。
【符号の説明】
１        露光用開口
２        シャッタ地板
３        羽根押え板
２ａ，３ａ  支点部レール
２ｂ，３ｂ  遮光部レール
２ｃ，３ｃ  先端部レール
２ｄ，３ｄ  支点部スラストレール
２ｅ，３ｅ  遮光部スラストレール
４，５    セクタ羽根
４ａ，５ａ  基部
４ｂ，５ｂ  遮光部
４ｃ，５ｃ  外周先端部
８        駆動ピン
９        スラスト突起
１０      テーパ部
【図１】
0003643395.tif 000002
【図２】
0003643395.tif 000003
【図３】
0003643395.tif 000004
【図４】
0003643395.tif 000005
【図５】
0003643395.tif 000006
【図６】
0003643395.tif 000007
【図７】
0003643395.tif 000008
【図８】
0003643395.tif 000009
【図９】
0003643395.tif 000010
【図１０】
0003643395.tif 000011